(57)【要約】【課題】軽い力でスイッチをオンしておくことができ、構造も簡単でコストも抑えることができるペン型ライト。【解決手段】内部に乾電池２を収納した筒体１の前部に電球３を配し、後部にクリップ４を取りつけたペン型ライトにおいて、上記電球３の口金５とバルブ６の周囲に金属製のコイルバネ７を包囲状態に取り付け、コイルバネ７の前端を上記筒体１の前端の内面に当接させるとともに、上記乾電池２の前端を上記電球３の口金５の後端に接触させ、後端を上記クリップ４の基部４ａに接続させ、上記クリップ４の先端を筒体１に接触離間させることによりスイッチを開閉させるようにした。【選択図】　　　　図２
2004022467.tif 000002
【特許請求の範囲】
【請求項１】
内部に乾電池を収納した筒体の前部に電球を配し、後部にクリップを取りつけたペン型ライトにおいて、
上記電球の口金とバルブの周囲に金属製のコイルバネを包囲状態に取り付け、コイルバネの前端を上記筒体の前端の内面に当接させるとともに、上記乾電池の前端を上記電球の口金の後端に接触させ、後端を上記クリップの基部に接続させ、上記クリップの先端を筒体に接触離間させることによりスイッチを開閉させるようにしたことを特徴とするペン型ライト。
【発明の詳細な説明】
【０００１】
【発明の属する技術分野】
本発明は、ペン型ライトに関する。
【０００２】
【従来技術とその問題点】
一般に、ペン型ライトは図４（ａ）（ｂ）に示されるように、内部に乾電池２を収納した細長の金属製筒体１の前部に電球３を配し、後部にスイッチ手段１１を設け、このスイッチ手段１１をオンオフ作動することにより、電球３を明滅させるようになっている。スイッチ手段１１は筒体１の後端部の金属栓１４を貫通している金属ロッドによって構成されている。
【０００３】
すなわち、常時は同図（ａ）のように、乾電池２の前端部はコイルバネ１３によって電球３の口金の後端部と接触しないように保持され、また乾電池２の後端部は金属ロッド１１の前端部に接触している。そこで、金属ロッド１１を同図（ｂ）のように押込むと、乾電池２の前端が電球３の後端に接触する。電球３の口金はコイルバネ１３と筒体１と金属栓１４と金属ロッド１１とを介して乾電池２の後端に電気的に接続する。このため、スイッチはオンし、電球３は点灯する。金属ロッド１１に対する押込みを解除すれば、電球３と乾電池２は離間するので、スイッチはオフされるのである。
【０００４】
ところが、上記構成によれば、コイルバネ１３は乾電池の重量に抗して乾電池と電球とを確実に離間しておかなければならないので、そのバネ力はそれなりに強くしなければならない。スイッチをオンするときは乾電池を移動させなければならない。したがって、スイッチオンのためには金属ロッド１１の押込み力が強くなければならない。
【０００５】
また、押込み力を解除すると電球は消えてしまうから、継続的に照射するときは金属ロッド１１を強い力で押し続けなければならない。そのため、指が疲れてしまうという問題があった。
【０００６】
【発明が解決しようとする課題】
本発明は上記問題点を解消し、軽い力でスイッチをオンしておくことができ、構造も簡単でコストも抑えることができるペン型ライトを提供することをその課題とする。
【０００７】
【課題を解決するための手段】
前記課題を解決するため、本発明に係るペン型ライトは、内部に乾電池を収納した筒体の前部に電球を配し、後部にクリップを取りつけたペン型ライトにおいて、上記電球の口金とバルブの周囲に金属製のコイルバネを包囲状態に取り付け、コイルバネの前端を上記筒体の前端の内面に当接させるとともに、上記乾電池の前端を上記電球の口金の後端に接触させ、後端を上記クリップの基部に接続させ、上記クリップの先端を筒体に接触離間させることによりスイッチを開閉させるようにしたことを特徴とする。
【０００８】
【発明の実施の形態】
図１は本発明に係るペン型ライトの斜視図であり、図２（ａ）はその縦断面図を示す。同図において符号１は筒体を示す。この筒体１はアルミニウム、ステンレスなどの導電性を有する素材からなり、その前端部は内側に折り曲げられている。筒体１の内部には２本の乾電池２が収納され、筒体１の前部には電球３が配置され、後部にクリップ４が取りつけられている。
【０００９】
上記ペン型ライトを構成する部材について説明すると、図３に詳しく示されているように、上記電球３の口金５とバルブ６の周囲に金属製のコイルバネ７が包囲状態に取り付けられている。コイルバネ７は円錐台状に形成され、口金５はコイルバネ７の小径部７ａにきつく締付けられ、バルブ６はコイルバネ７の前部の大径部７ｂによって接触しないように包囲されている。また、コイルバネ７の大径部７ｂの端部はバルブ６よりも前方に突出するように形成されている。
【００１０】
次に、図２（ａ）に示されるように、筒体１の後端開口部には、合成樹脂等の絶縁材の栓体８が螺合されている。なお、栓体８の周囲には金属製の短筒材９が嵌合されている。短筒材９の端部は上記筒体１の後端部に接触しないように取りつけられる。
【００１１】
上記栓体８の中心部には金属製のボルト１０が貫通され、その先端は栓体８の前端部のネジ受け板１１に螺合している。ボルト１０によってボルト１０の頭部と栓体８との間には金属製クリップ４の基部が挟持固定される。このとき、クリップ４の先端は筒体１の表面から離間させる。なお、ボルト１０の先端は上記ネジ受け板１１よりも少しだけ突出させるのが好ましい。
【００１２】
上記構成の各部材によりペン型ライトを組み立てるときは、筒体１から栓体８を取り外しておき、の前端に上記コイルバネ７付き電球３を挿入し、コイルバネ７の前端部は上記筒体１の前端に形成された内側折り曲げ部１ａの内面に当接させる。次に、筒体１の内部に乾電池２を収納する。そして、筒体１の後端部に栓体８を螺着固定する。なお、栓体８が筒体１に螺合するとき、ボルト１０の先端は乾電池２のマイナス極に接触し、さらにねじ込みに応じてコイルバネ７に抗して乾電池２を押込んでいくから、乾電池２の前端のプラス極は上記電球３の口金５の後端５ａに常時接触する。
【００１３】
上記構成において、電球３の口金５の後端５ａは乾電池２のプラス極に接触し、口金５はコイルバネ７を介して筒体１に電気的に接続し、さらに乾電池２の後端マイナス極はボルト１０を介してクリップ４に電気的に接続している。したがって、クリップ４の先端を指で図２（ｂ）の矢印のように押し込んで筒体１の表面に接触させると、乾電池２と電球３とを接続する回路が閉じ、電球３が点灯する。指をクリップ４から離せば、上記回路が開いて消灯する。
【００１４】
上述のように、乾電池２と電球３とを接続する回路は、クリップ４の基部４ａの弾性に抗してクリップ４の先端４ｂを筒体１の表面に当接させ、または上記弾性によってクリップ４の先端４ｂを離間させることによって閉じ又は開く。したがって、クリップ４の先端４ｂを押す場合の押込み力は、押し位置がクリップ４の基部４ａから離れれば離れるほど小さくて済む。つまり、クリップ４の先端４ｂを押せば軽い力でスイッチを入れることができる。
【００１５】
このように、電球３のコイルバネ７のバネ力はスイッチとは全く関係がなく、従来よりもはるかに容易に点滅操作を行なうことができる。
【００１６】
また、スイッチのオンオフ操作は、従来のもののように特別のスイッチ手段ではなく、クリップ４で行なうことができるので、部品点数を削減することができ、コストも低く抑えることができる。なお、クリップ４はライトとして使用しないときは、胸のポケットに留めてために使用されるが、この場合はクリップ４と筒体１の表面とはポケットの布材で完全に隔離されるから、知らない間にスイッチが入るおそれがない。
【００１７】
しかも、筒体１が前後を向くようにして握った状態でクリップ４を押込み操作できるので、取り扱いが楽である。これに対し、従来のものはスイッチ手段としての金属ロッドが筒体の後端にあり、その押込み力は比較的大きいので、注射器のような持ち方はできない、手全体で筒体を握り、金属ロッドを親指で押すことになるので、電球を前に向けるには手を肩の付近まで上げて金属ロッドを押すという操作が必要になり、取り扱いが面倒である。
【００１８】
なお、筒体１がアルミニウム製であるときは、その表面にはアルマイト皮膜の層が形成され、絶縁状態になっている。この場合は、コイルバネ７が接する前端折り曲げ部１ａの内側と、クリップ４の先端が接触する部位とを研磨し又は削って通電可能な状態にしておけばよい。
【図面の簡単な説明】
【図１】本発明に係るペン型ライトの斜視図
【図２】（ａ）（ｂ）はそれぞれ上記ペン型ライトの消灯時及び点灯時の縦断面図
【図３】電球部分の側面図
【図４】（ａ）（ｂ）はそれぞれ従来のペン型ライトの消灯時及び点灯時の縦断面図
【符号の説明】
１　筒体
３　電球
４　クリップ
７　コイルバネ
【図１】
2004022467.tif 000003
【図２】
2004022467.tif 000004
【図３】
2004022467.tif 000005
【図４】
2004022467.tif 000006